(57)【要約】【課題】幅木を足場板に直接取り付けることにより、足場板と幅木の間に隙間の発生を無くすことができ、安全の確保が十分に行えると共に、足場及び足場板の構造に対して汎用性があり、コンパクトに積み重ねることができ、収納性に優れている足場用幅木を提供する。【解決手段】横長となる幅木本体２の両端部に、この幅木本体２を起立状態で足場板上に載せ置くための載置板３と、幅木本体２が足場板上に起立する状態で足場板の下面側に係脱自在となり、上記幅木本体２を足場板に直接固定する取り付け金具４が設けてある。【選択図】図１
2005139663.tif 000002
【特許請求の範囲】
【請求項１】
幅木本体の両端部に、この幅木本体の下部から一面側に突出し、幅木本体を起立状態で足場板上に載せ置くための載置板と、幅木本体が足場板上に起立する状態で足場板の下面側に係脱自在となり、上記幅木本体を足場板に直接固定する取り付け金具を設けた足場用幅木。
【請求項２】
上記取り付け金具が、幅木本体に垂直の軸心を中心に回転可能に取り付けた回転軸と、幅木本体の下面から突出する上記回転軸の下端水平部に回転と軸方向への移動が可能となるよう取り付けられ、側面に傾斜面が設けられ、足場板の下面側に位置させた直立状態で上端部を足場板の下面に当接させることができる係合金具と、上記係合金具に対してその側面の傾斜面が足場板の下面内側コーナに圧接する方向の移動弾性を付勢する弾性部材とで形成されている請求項１に記載の足場用幅木。
【請求項３】
上記幅木本体の両端部に閉塞板が延長状に設けられ、両端部の閉塞板は、足場板への取り付け状態で、隣接する足場板に取り付けた幅木本体の閉塞板と重なり状となるような位置関係に配置されている請求項１又２に記載の足場用幅木。
【発明の詳細な説明】
【技術分野】
【０００１】
この発明は、建築や土木工事の作業足場を構成する足場板に直接取り付けるようにした足場用幅木に関する。
【背景技術】
【０００２】
例えば、建築や土木工事の仮設作業足場には、建枠足場、システム足場、支保工用の足場等があり、何れの場合も、水平横架材の間に足場板を架設して作業床を形成した構造になっている。
【０００３】
ところで、上記のような仮設作業足場については、関係省庁から墜落防止ガイドラインが通達され、足場板上で足を滑らせることによって発生する墜落を防止する手段として、足場板の上部で建物と反対側の位置に幅木を起立状に設ける必要性が生じている。
【０００４】
従来、仮設作業足場における幅木の取り付けは、幅木の両端に専用の取り付け金具を設け、建枠やシステム足場の両側支柱に取り付け金具で両端を固定することにより、足場板の上部で建物と反対側の位置に幅木を起立状に配置する支柱取り付けタイプと、建枠やシステム足場の両側水平横架材間に足場板と同様に取り付けて幅木を起立状に配置する横架材取り付けタイプが提案されている。
【発明の開示】
【発明が解決しようとする課題】
【０００５】
ところで、前者の支柱取り付けタイプの場合、足場板の架設位置によっては、足場板と幅木の間に隙間が発生し、この隙間に足が落ち込むことがあるので、安全の確保が十分に得られないと共に、専用の取り付け金具による固定は、各種建枠やシステム足場に対して共用することができず、多数種類の幅木を用意しなければならないという問題がある。
【０００６】
また、後者の横架材取り付けタイプの場合は、足場板と幅木の間の隙間の発生を、支柱取り付けタイプよりも少なくすることができるが、横架材に対する掴み金具が大きくなり、倒れ止めの機構も必要になるので構造が複雑化し、コスト的に高くつくという問題がある。
【０００７】
そこで、この発明の課題は、幅木を足場板に直接取り付けることができるようにし、足場板と幅木の間に隙間の発生を無くすことができ、安全の確保が十分に行えると共に、足場及び足場板の構造に対して汎用性があり、コンパクトに積み重ねることができ、収納性に優れている足場用幅木を提供することにある。
【課題を解決するための手段】
【０００８】
上記のような課題を解決するため、この発明は、幅木本体の両端部に、この幅木本体の下部から一面側に突出し、幅木本体を起立状態で足場板上に載せ置くための載置板と、幅木本体が足場板上に起立する状態で足場板の下面側に係脱自在となり、上記幅木本体を足場板に直接固定する取り付け金具を設けた構成を採用したものである。
【０００９】
上記取り付け金具が、幅木本体に垂直の軸心を中心に回転可能に取り付けた回転軸と、幅木本体の下面から突出する上記回転軸の下端水平部に回転と軸方向への移動が可能となるよう取り付けられ、側面に傾斜面が設けられ、足場板の下面側に位置させた直立状態で上端部を足場板の下面に当接させることができる係合金具と、上記係合金具に対してその側面の傾斜面が足場板の下面内側コーナに圧接する方向の移動弾性を付勢する弾性部材とで形成されている構成とすることができる。
【００１０】
また、上記幅木本体の両端部に閉塞板が延長状に設けられ、両端部の閉塞板は、足場板への取り付け状態で、隣接する足場板に取り付けた幅木本体の閉塞板と重なり状となるような位置関係に配置されている構造を採用することができる。
【００１１】
ここで、上記幅木本体は、アルミや鋼板等を用い、所定の高さを有する横長で、上下端部に外面側への折り返し壁を設けた強度のある断面構造になっている。
【００１２】
また、取り付け金具における回転軸は、金属製の丸軸を用いて下端に水平部を折り曲げて設けたＬ字形に形成され、幅木本体の上下折り返し壁に回転自在で軸方向に移動しないよう取り付けられ、この回転軸の水平部に設けた係合金具は、略五角形のホームベース形に形成された金具本体の尖部端にＴ字形部を設けて形成され、金具本体の両側対向壁を上記水平部に回転と軸方向への移動が自在となるよう取り付け、更に、弾性部材は、コイルばねを用い、金具本体内で水平部に外嵌し、その一端を水平部に固定することにより、係合金具に上記した移動弾性を付与している。
【発明の効果】
【００１３】
この発明によると、幅木本体の両端部に、幅木本体を起立状態で足場板上に載せ置くための載置板と、幅木本体が足場板上に起立する状態で足場板の下面側に係脱自在となり、上記幅木本体を足場板に直接固定する取り付け金具を設けたので、幅木本体を直接足場板に取り付け固定することにより、幅木を足場板との間に隙間の発生がない状態で取り付けることができ、隙間に足を取られて足場板上から墜落するように事故を未然に防止することができ、各種足場における作業床の安全性を大幅に向上させることができる。
【００１４】
また、幅木を足場板に直接固定するので、仮設足場が建枠足場、システム足場、支保工用の足場等の何れであっても、幅木は単一構造のものを使用することができ、極めて汎用性に優れたものとなる。
【００１５】
更に、取り付け金具の係合金具は、足場板の厚さの変化及び、天板が板とエキスパンドメタルの何れの足場板にも対応することができ、足場板に対する汎用性にも優れていると共に、係合金具を回転可能とすることにより、係合金具の向きを選択することで幅木本体の積み重ねが可能になり、コンパクトな積み重ねにより収納性に優れている。
【００１６】
また、幅木本体の両端に重なり量の調整が可能な閉塞板を設けたので、仮設足場が建枠足場、システム足場、支保工用の足場等において、インチサイズとメータサイズの何れであっても、隣接する幅木本体間を閉塞することができ、インチサイズとメータサイズの兼用可能により、レンタル会社にとって運用面で有利となる。
【発明を実施するための最良の形態】
【００１７】
幅木本体の両端部に、この幅木本体を起立状態で足場板上に載せ置くための載置板と、幅木本体が足場板上に起立する状態で足場板の下面側に係脱自在となり、上記幅木本体を足場板に直接固定する取り付け金具を設ける。
【実施例１】
【００１８】
以下、この発明の実施例を添付図面に基づいて説明する。
【００１９】
図１乃至図５のように、足場用幅木１は、横長の幅木本体２と、この幅木本体２の両端部に設けられ、幅木本体２を起立状態で足場板上に載せ置くための載置板３と、幅木本体２の両端部で上記載置板３の近傍の位置に設けられ、幅木本体２が足場板Ａ上に起立する状態で足場板Ａの下面側に係脱自在となり、上記幅木本体２を足場板Ａに直接固定する取り付け金具４と、幅木本体２の両端に延長状に設けた閉塞板５と６とで形成されている。
【００２０】
上記幅木本体２は、アルミや鋼板等を用い、所定の高さと長さを有する垂直面板７の上下端部に外面側への折り返し壁８と９を設けた強度のある断面構造になっている。
【００２１】
上記幅木本体２の横方向の長さは、図２のように、取り付け使用する足場板Ａの長さと略同程度とし、高さ寸法は、例えば１５０ｍｍ程度とする。従って、幅木１の種類は、足場板Ａの長さの種類と同じになる。
【００２２】
上記載置板３は、フラットな金属板で形成され、幅木本体２の下部折り返し壁９に溶接固定され、垂直面板７に対して内面側に所定長さだけ突出している。
【００２３】
上記取り付け金具４は、幅木本体２に垂直の軸心を中心に回転可能に取り付けた回転軸１０と、幅木本体２の下面から下方に突出する上記回転軸１０の下端水平部１１に回転と軸方向への移動が可能となるよう取り付けられ、側面に傾斜面１２が設けられ、足場板Ａの下面側に位置させた直立状態で上端部を足場板Ａの下部折り曲げ部Ｄの内側コーナ縁に当接させることができる係合金具１３と、上記係合金具１３に対してその側面の傾斜面１２が足場板Ａにおける下部折り曲げ部Ｄの内側コーナ縁に圧接する方向の移動弾性を付勢する弾性部材１４とで形成されている。
【００２４】
上記取り付け金具４における回転軸１０は、金属製の丸軸を用いて下端に水平部１１を折り曲げて設けたＬ字形に形成され、水平部１１が幅木本体２の下部折り返し壁９よりも下方に位置するよう、幅木本体２の上下折り返し壁８と９に回転自在で軸方向にピン１５による抜け止め状に取り付けられ、この回転軸１０の水平部１１に設けた係合金具１３は、略五角形のホームベース形に形成され、上部の一面側に足場板Ａの下部折り返し壁９の内側コーナ縁に当接させる傾斜面１２を備え、その尖部端に、上端が平板１６となるＴ字形部１７を設けて形成され、係合金具１３の両側対向壁を上記水平部１１に回転と軸方向への移動が自在となるよう嵌挿して取り付け、更に、弾性部材１４にはコイルばねを用い、係合金具１３内で上記水平部１１に外嵌し、その一端を水平部１１にピン１８を介して固定し、他端を一方の対向壁に当接させることにより、係合金具１３に上記した移動弾性を付与している。
【００２５】
上記係合金具１３における平板１６の上面には、足場板Ａの天板が鋼板やアルミ板の場合は図３のように天板Ｂの下面に当接し、図６のように、天板Ｂがエキスパンドメタルの場合は、網目内に嵌り込む突起１９が設けてある。
【００２６】
上記幅木本体２の両端部に設けた閉塞板５と６は、幅木１を足場板Ａに取り付け状態で、隣接する足場板Ａに取り付けた幅木１の閉塞板５又は６と重なり状となるよう、幅木本体２の厚み方向に対して位置をずらした配置になっている。
【００２７】
この発明の幅木１は、上記のような構成であり、図２のように、足場の両側水平横架材Ｃ間に両端のフックで足場板Ａを架設した後、図１に実線で示すように、幅木本体２に対して回転軸１０を水平部１１が外向きに突出するよう回動させ、この水平部１１に取り付けた係合金具１３を平板１６が下向きとなるようにした状態で、図４のように、幅木本体２を足場板Ａの上面で建物と反対側の端部位置に臨ませ、その両端に設けた載置板３を足場板Ａ上に載置し、回転軸１０の下部が足場板Ａの外端面に当接する状態にする。
【００２８】
次に、回転軸１０を図４に一点鎖線で示すように１８０°回転させて、その水平部１１を足場板Ａの下部に臨ませ、この状態で係合金具１３を足場板Ａの内側に向けて弾性部材１４の圧縮方向に移動させると共に、水平部１１を中心に回転させて起立状の姿勢にし、この状態で係合金具１３を開放すると、係合金具１３は、弾性部材１４の押圧で足場板Ａの外側に向けて移動し、図３のように、その側面の傾斜面１２が足場板Ａの下部折り曲げ部Ｄにおける下面内側コーナ縁に圧接する。
【００２９】
図３のように、係合金具１３の傾斜面１２が足場板Ａの下面内側コーナ縁に圧接することにより、取り付け金具４は、回転軸１０の下部と係合金具１３によって足場板Ａの下部折り曲げ部Ｄを内外から弾力的に挟み込み、平板１６の突起１９と載置板３で天板Ｂを挟み込み、これにより、足場板Ａ上に起立させた幅木１は、両端部が足場板Ａに対して強固に固定化されることになる。
【００３０】
図３は、足場板Ａの天板Ｂが鋼板やアルミ板の場合の例であり、係合金具１３は天板Ｂの下面に突起１９が当接しているが、図６のように、天板Ｂがエキスパンドメタルの場合、突起１９は網目に嵌り、平板１６が上記メタルの下面に当接することになる。
【００３１】
上記のように、足場板Ａの上面に幅木本体２を直接固定することにより、足場板Ａと幅木本体２の間に足が嵌るような隙間の発生はなく、安全性が向上することになる。
【００３２】
また、幅木本体２の両端においては、隣接する幅木本体２の閉塞板５と６が重なり状の配置となり、隣接する幅木本体２間における隙間の発生をなくし、安全性の向上を図っている。
【００３３】
なお、足場板Ａに対する幅木１の取り外しは、上記した取り付け時と逆の手順と操作によって行うことができ、更に、幅木１を積み重ねる場合は、係合金具１３を図１の実線のように下向きとした位相で、回転軸１０の水平部１１を幅木本体２の長さ方向に沿わせれば、幅木本体２の厚み方向への突出部分がなくなり、嵩低く積み重ねることができることになる。
【図面の簡単な説明】
【００３４】
【図１】足場用幅木の斜視図
【図２】（ａ）は足場用幅木の足場板への取り付け状態を示す正面図、（ｂ）は同平面図
【図３】図２（ｂ）の矢印III−IIIに沿う拡大した縦断面図
【図４】幅木本体と取り付け金具の構造を示す拡大した縦断側面図
【図５】幅木の足場板への取り付け状態を示す要部切り欠き斜視図
【図６】（ａ）は足場板の天板がエキスパンドメタルの場合の幅木の取り付け状態を示す平面図、（ｂ）は（ａ）の矢印ｂ−ｂに沿う縦断面図
【符号の説明】
【００３５】
１        足場用幅木
２        幅木本体
３        載置板
４        取り付け金具
５        閉塞板
６        閉塞板
７        垂直面板
８        折り返し壁
９        折り返し壁
１０      回転軸
１１      水平部
１２      傾斜面
１３      係合金具
１４      弾性部材
１５      ピン
１６      平板
１７      Ｔ字形部
１８      ピン
１９      突起
【図１】
2005139663.tif 000003
【図２】
2005139663.tif 000004
【図３】
2005139663.tif 000005
【図４】
2005139663.tif 000006
【図５】
2005139663.tif 000007
【図６】
2005139663.tif 000008